(57)【要約】【課題】  周囲から収容保持したくじ券を見え難くして保管上の安全性を高めることができる置物を提供すること。【解決手段】  内部に空間６を有する置物本体（大仏本体）４と、この置物本体４の背面下部に設けられたくじ券挿入部１２とを備えた置物。くじ券挿入部１２は、背面側に開口する第１挿入口１４を有し、長さの比較的長い第１くじ券８（例えば、宝くじ）は、第１挿入口１４を通して置物本体４の空間６内に挿入される。くじ券挿入部１２は、更に、上面側に開口する第２挿入口１６を有し、長さの比較的短い第２くじ券１０（例えば、ロト６）は、第２挿入口１６を通して置物本体４の空間６に挿入される。【選択図】  図４
0003119181.tif 000002
【実用新案登録請求の範囲】
【請求項１】
内部に空間を有する置物本体と、この置物本体の背面下部に設けられたくじ券挿入部とを備え、前記くじ券挿入部は、前記置物本体の背面側に開口する第１挿入口を有し、長さの比較的長い第１くじ券は、前記背面側から前記第１挿入口を通して前記置物本体の前記空間内に挿入されることを特徴とする置物。
【請求項２】
前記くじ券挿入部は、前記置物本体の上面側に開口する第２挿入口を有し、長さの比較的短い第２くじ券は、前記上面側から前記第２挿入口を通して前記置物本体の前記空間に挿入されることを特徴とする請求項１に記載の置物。
【請求項３】
前記くじ券挿入部は、前記置物本体の背面下部から背面側に突出して設けられ、前記くじ券挿入部の突出端面に前記第１挿入口が設けられ、前記くじ券挿入部の上面に前記第２挿入口が設けられていることを特徴とする請求項２に記載の置物。
【請求項４】
前記くじ券挿入部の前記第１挿入口の下縁を規定する部位には、上方に突出する支持突出部が設けられていることを特徴とする請求項１〜３にいずれかに記載の置物。
【請求項５】
前記くじ券挿入部の前記支持突出部の高さは３〜１０ｍｍであり、前記第１挿入口から挿入された前記第１くじ券の突出側は前記支持突出部により支持され、前記背面側に向けて上方に傾斜した状態に支持されることを特徴とする請求項４に記載の置物。
【請求項６】
前記第２挿入口の幅は２〜７ｍｍであり、前記第２挿入口から挿入された前記第２くじ券の挿入側は前記置物本体の底部内面又は前記第１挿入口を通して挿入された前記第１くじ券の上面に載置支持され、前記第２くじ券の突出側は前記上面側に向けて背面方向に傾斜した状態に保持されることを特徴とする請求項５に記載の置物。
【請求項７】
前記置物本体は陶器から形成され、前記置物本体の内部全体に前記空間が設けられていることを特徴とする請求項１〜６のいずれかに記載の置物。
【考案の詳細な説明】
【技術分野】
【０００１】
本考案は、宝くじの如きくじ券を挿入するためのくじ券挿入部を備えた置物に関する。
【背景技術】
【０００２】
くじ券挿入部を備えた置物として、縁起猫の如き置物本体の前面に当たり矢用の的部が設けられ、この的部の上部に挿入口が形成されたものが提案されている（例えば、特許文献１参照）。この置物においては、宝くじの如きくじ券は、その一端側が挿入口を通して的部内に挿入され、かく挿入した状態においては、くじ券の他端側は挿入口から外側に延びている。くじ券を取り出す際には、的部から突出するくじ券の他端側をつかんで引き出せばよく、この的部から容易に取り出すことができる。
【０００３】
【特許文献１】意匠登録第１２０１０４９号公報
【考案の開示】
【考案が解決しようとする課題】
【０００４】
しかしながら、上述した置物には、次の通りの問題がある。第１に、くじ券を収容する的部が置物本体の前面に設けられているので、この的部にくじ券を挿入した状態においては、周囲の人（例えば、置物を室内に置いたときには、その室内に居る人）から容易に見え、子供などがこのくじ券を取り出して遊ぶなどの問題がある。第２に、くじ券を収容する的部及びそれに形成された挿入口が一つであるので、宝くじの如き長さが比較的長いくじ券にあっては、この挿入口を通して的部内に所要の通りに挿入して収容保持することができるが、ロト６の如き長さが比較的短いくじ券にあっては、この挿入口を通して挿入すると、くじ券全体が的部内に収容されてしまい、このような収容状態では、その取り出しが煩雑になるという問題がある。
【０００５】
本考案の目的は、周囲から収容保持したくじ券を見え難くして保管上の安全性を高めることができる置物を提供することである。
本考案の他の目的は、比較的長いくじ券及び比較的短いくじ券を所要の通りに収容保持することができる置物を提供することである。
【課題を解決するための手段】
【０００６】
本考案の請求項１に記載の置物は、内部に空間を有する置物本体と、この置物本体の背面下部に設けられたくじ券挿入部とを備え、前記くじ券挿入部は、前記置物本体の背面側に開口する第１挿入口を有し、長さの比較的長い第１くじ券は、前記背面側から前記第１挿入口を通して前記置物本体の前記空間内に挿入されることを特徴とする。
【０００７】
また、本考案の請求項２に記載の置物では、前記くじ券挿入部は、前記置物本体の上面側に開口する第２挿入口を有し、長さの比較的短い第２くじ券は、前記上面側から前記第２挿入口を通して前記置物本体の前記空間に挿入されることを特徴とする。
【０００８】
また、本考案の請求項３に記載の置物では、前記くじ券挿入部は、前記置物本体の背面下部から背面側に突出して設けられ、前記くじ券挿入部の突出端面に前記第１挿入口が設けられ、前記くじ券挿入部の上面に前記第２挿入口が設けられていることを特徴とする。
【０００９】
また、本考案の請求項４に記載の置物では、前記くじ券挿入部の前記第１挿入口の下縁を規定する部位には、上方に突出する支持突出部が設けられていることを特徴とする。
【００１０】
また、本考案の請求項５に記載の置物では、前記くじ券挿入部の前記支持突出部の高さは３〜１０ｍｍであり、前記第１挿入口から挿入された前記第１くじ券の突出側は前記支持突出部によって支持され、前記背面側に向けて上方に傾斜した状態に支持されることを特徴とする。
【００１１】
また、本考案の請求項６に記載の置物では、前記第２挿入口の幅は２〜７ｍｍであり、前記第２挿入口から挿入された前記第２くじ券の挿入側は前記置物本体の底部内面又は前記第１挿入口を通して挿入された前記第１くじ券の上面に載置支持され、前記第２くじ券の突出側は前記上面側に向けて背面方向に傾斜した状態に保持されることを特徴とする。
【００１２】
更に、本考案の請求項７に記載の置物では、前記置物本体は陶器から形成され、前記置物本体の内部全体に前記空間が設けられていることを特徴とする。
【考案の効果】
【００１３】
本考案の請求項１に記載の置物によれば、長さの比較的長い第１くじ券が置物本体の背面側に設けられた第１挿入口を通して置物本体の前記空間内に挿入されるので、収容保持された第１くじ券は、置物本体の前面側の周囲から見えず、第１くじ券を安全に収容保持することができる。なお、この置物本体とは、弁財天などの神様物、大仏などの仏像物、招き猫などの縁起物などの各種のものを用いることができる。
【００１４】
また、本考案の請求項２に記載の置物によれば、くじ券挿入部は、第１挿入口に加えて第２挿入口を備え、長さの比較的短い第２くじ券は、この第２挿入口を通して挿入されるので、第２くじ券を置物本体の空間に所要の通りに挿入保持することができる。また、この第２挿入口が置物本体の背面下部のくじ券挿入部に設けられているので、第２挿入口を通して挿入した第２くじ券も置物本体の前面側の周囲から見えず、第２くじ券を安全に収容保持することができる。
【００１５】
また、本考案の請求項３に記載の置物によれば、置物本体の背面下部から背面側に突出するように設けられるくじ券挿入部の突出端面に第１挿入口が設けられ、その上面に第２挿入口が設けられているので、第１及び第２挿入部を置物本体の背面下部にコンパクトに設けることができる。
【００１６】
また、本考案の請求項４に記載の置物によれば、くじ券挿入部の第１挿入口の下縁に上方に突出する支持突出部が設けられているので、第１挿入口を通して挿入された第１くじ券の他端側はこの支持突出部に支持され、第１挿入口から外側に延びる第１くじ券の他端側は背面側に向けて上方に傾斜して延びるようになり、従って、第１挿入口から延びる第１くじ券の他端側を容易につかんで取り出すことができる。
【００１７】
また、本考案の請求項５に記載の置物によれば、くじ券挿入部の支持突出部の高さは３〜１０ｍｍであり、第１くじ券の突出側はこの支持突出部によって支持されるので、挿入保持された第くじ券は背面側に向けて上方に緩やかに傾斜した状態になり、この第１くじ券を取り出し容易に所要の通りに収容保持することができる。
【００１８】
また、本考案の請求項６に記載の置物によれば、第２挿入口の幅は２〜７ｍｍであり、第２挿入口を通して挿入された第２くじ券の挿入側は置物本体の底部内面又は第１挿入口を通して挿入された第１くじ券の上面に載置支持されるので、この第２くじ券の突出側は上面側に向けて背面方向に傾斜した状態に保持されるようになり、従って、第２挿入口から延びる第２くじ券の他端側を容易につかんで取り出すことができる。
【００１９】
更に、本考案の請求項７に記載の置物によれば、置物本体は陶器から形成されているので、置物として価値の高い物となり、神棚、仏壇、テーブルなどに載置して飾ることができる。また、置物本体の内部全体に空間が設けられているので、この空間をくじ券の収容空間として好都合に用いることができる。
【考案を実施するための最良の形態】
【００２０】
以下、添付図面を参照して、本考案に従う置物の一実施形態について説明する。図１は、一実施形態の置物を正面側から見た斜視図であり、図２は、図１の置物を背面側から見た斜視図であり、図３は、図１の置物のくじ券挿入部及びその近傍を拡大して示す部分拡大断面図であり、図４は、図１の置物のくじ券挿入部に第１及び第２くじ券を挿入した状態を示す斜視図であり、図５は、図１の置物のくじ券挿入部の第１挿入口を通して第１くじ券を挿入した状態を示す部分拡大断面図であり、図６は、図１の置物のくじ券挿入部の第２挿入口を通して第２くじ券を挿入した状態を示す部分拡大断面図である。
【００２１】
図１〜図３において、図示の置物としての大仏像物２は、座った形態の大仏本体４（置物本体を構成する）を備えている。この大仏本体４は陶器から形成され、その内部全体に空間６が設けられ、この空間６の下部は、後述する第１及び第２くじ券８，１０（図３参照）を収容するための空間として用いられる。尚、置物本体とは、弁財天などの神様物、招き猫などの縁起物などを用いるようにしてもよい。
【００２２】
この大仏本体４には、図２に示すように、その背面下部にくじ券挿入部１２が設けられている。くじ券挿入部１２は、大仏本体４の背面下部（この形態では、座った状態の大仏の腰の部位付近）から背面側に突出して設けられており、その突出端面に矩形状の第１挿入口１４が設けられ、その上面に細長い矩形状の第２挿入口１６が設けられている。
【００２３】
第１挿入口１４は、大仏本体４の背面側（図２において左下側、図３において右側）に開口し、第１くじ券８は大仏本体４の背面側から前面側に向けて第１挿入開口１４を通して挿入され、挿入された第１くじ券８の一端側は大仏本体４の空間６内に収容される。この第１挿入口１４を通して挿入する場合、図３から理解されるように、挿入された第１くじ券８は大仏本体４の底部１８の内面に沿って挿入され、大仏本体４の前下部２０（図１）の内面に近接乃至当接するまで挿入される。この大仏本体４の下部（第１くじ券８が挿入される部分）の大きさは、長さが比較的長い第１くじ券８、例えば宝くじを収容する長さに対応しており、第１くじ券８の一端側を大仏本体４の前部２０の内面に近接乃至当接するまで挿入すると、その他端側は第１挿入口１４から外側に突出するようになり、このように構成することによって、第１くじ券８の全体が大仏本体４の空間６に入るのを防止することができる。
【００２４】
図３に示すように、くじ券挿入部１２における、第１挿入口１４の下縁を規定する部位には、上方に突出する支持突出部２２が一体的に設けられている。支持突出部２２の高さＨは３〜１０ｍｍに設定するのが好ましく、一例として５ｍｍ程度に設定され、支持突部２２をこのような高さに設定することによって、第１挿入口１４を通して挿入された第１くじ券８の他端側は支持突部２２に支持され、かく支持された状態においては、第１挿入口１４から背面側外方に突出する第１くじ券８の他端側は、背面側に向けて緩やかに上方に傾斜して延び、従って、この突出他端部を容易につかんで大仏本体４から取り出すことができる。尚、第１挿入口１４の大きさは、宝くじの如き第１くじ券８の大きさを考慮して、例えば、幅Ｗ１：２５ｍｍ、長さＬ１：９５ｍｍ程度に形成され、例えば１００枚程度の宝くじの如き第１くじ券８を収容することができ、支持突出部２２の高さＨが３ｍｍ未満であると、第１くじ券８の他端側の傾斜が小さくなってこの他端部がつかみ難くなり、また支持突出部２２の高さＨが１０ｍｍを超えると、第１くじ券８の他端側の傾斜が大きくなり、後述する如く第２くじ券１０を第１くじ券８の上面に載置した際に、載置した第２くじ券１０が第１くじ券８の上面に沿って滑って大仏本体４の空間６内に入るおそれが生じる。
【００２５】
また、第２挿入口１６はくじ券挿入部１２の上面側に開口し、第２くじ券１０は、この上面側から第２挿入口１６を通して下方に挿入される。第１挿入口１４を通して第１くじ券８が挿入された状態においては、この第２くじ券１０の挿入された一端は、挿入状態の第１くじ券８の上面に当接して支持され（図３参照）、また第１くじ券８が挿入されていない状態においては、第２くじ券１０の挿入された一端は、大仏本体４の底部１８の内面に当接して支持され（図６参照）、これらの挿入状態においては、第２くじ券１０の他端側は第２挿入口１６から外側に延びている。
【００２６】
この第２挿入口１６の高さ位置は、第２挿入口１６を通して挿入される第２くじ券１０の長さを考慮して設定され、大仏本体４の底部１８の内面から３５〜６０ｍｍ程度の位置、この実施形態では略４０ｍｍの位置に設けられている。このような高さ位置に設けることによって、例えばロト６の如き長さが比較的短い第２くじ券１０を挿入保持するのに適したものとなり、図３及び図６に示すように、長さの比較的短い第２くじ券１０を第２挿入口１６を通して挿入保持してもその他端側は第２挿入口１６から外側に突出するようになり、従って、この突出端部をつかんで引き出すことによって、第２くじ券１０を大仏本体４から容易に取り出すことができる。
【００２７】
この第２挿入口１６の幅Ｗ２は２〜７ｍｍに設定するのが望ましく、この実施形態では３ｍｍ程度に設定され、このような大きさに設定することによって、例えば１０枚程度のロト６の如き第２くじ券１０は、第２挿入口１６の幅Ｗ２はこれら第２くじ券１０の厚さよりも少し大きくなるように設定される故に、図３及び図６に示すように、上方に向けて背面側に大きく傾斜するように（傾斜状態が急になるように）保持され、このように大きく傾斜させることによって、大仏本体４の底部１８の内面、また挿入された第１くじ券８の上面を滑って大仏本体４の空間６内に入るのを防止することができるとともに、第２くじ券１０を取り出す際に誤って第１くじ券８を取り出す（又は第１くじ券８を取り出す際に誤って第２くじ券１０を取り出す）ことも少なくなる。尚、この第２挿入口１６の長さＬ２は、例えば８５ｍｍ程度に形成される。
【００２８】
このような大仏像物２は、置物として例えば仏壇、テーブルなどに置かれ、大仏本体４の前面が周囲の人に見えるように飾られる。第１くじ券８を保管するときには、大仏本体４の背面側から前面に向けてくじ券挿入部１２の第１挿入口１４を通して大仏本体４の空間６内に挿入し、挿入した一端が大仏本体４の前部２０の内面に近接乃至当接するまで入れればよい。かくすると、図３に一点鎖線で示すとともに図５に示すように、第１くじ券８の他端側はくじ券挿入部１２の支持突出部２２に支持され、その他端部は第１挿入口１４から外方に突出し、例えば１０〜２０度程度上方に傾斜した状態に保持される。このように幾分上方に傾斜した状態に保持されるので、第１くじ券８の突出端部を容易につかんで取り出すことができる。
【００２９】
また、第２くじ券１０を保管するときには、大仏本体４の上面側から下方に向けてくじ券挿入部１２の第２挿入口１６を通して大仏本体４の空間６内に挿入し、挿入した一端が大仏本体４の底部１８の内面に当接するまで入れればよい。かくすると、図６に示すように、第２くじ券１０の他端側はくじ券挿入部１２の第２挿入口１６の縁部に支持され、その他端部は第２挿入口１６から外方に突出し、例えば６０〜７５度程度上方に傾斜した状態に保持される。このように大きく上方に傾斜した状態に保持されるので、第２くじ券１０の突出端部を容易につかんで取り出すことができる。尚、第１挿入口８を通して第１くじ券８を挿入した状態においては、第２挿入口１６を通して第２くじ券１０を上述したように挿入すると、図３に一点鎖線で示すとともに図４に示すように、第２くじ券１０の挿入した一端は、保管状態の第１くじ券８の上面に当接し、その他端側は、上述したと同様に、くじ券挿入部１２の第２挿入口１６の縁部に支持され、例えば６０〜７５度程度上方に傾斜した状態に保持される。従って、このような収容状態においても、大仏本体４から容易に取り出すことができる。
【００３０】
以上、本考案に従う置物の一実施形態について説明したが、本考案はかかる実施形態に限定されるものではなく、本考案の範囲を逸脱することなく種々の変形乃至修正が可能である。
【００３１】
例えば、上述した実施形態では、くじ券挿入部１２に第１及び第２挿入口１４，１６を設けているが、これら第１及び第２挿入口１４，１６の大きさは挿入される第１及び第２くじ券８，１０の大きさに応じて適宜設定することができ、また購入者が多い宝くじの保管を目的とする場合には、第１挿入口１４のみを設け、第２挿入口１６を省略することができる。
【図面の簡単な説明】
【００３２】
【図１】本考案に従う置物の一実施形態を正面側から見た斜視図。
【図２】図１の置物を背面側から見た斜視図。
【図３】図１の置物のくじ券挿入部及びその近傍を拡大して示す部分拡大断面図。
【図４】図１の置物のくじ券挿入部に第１及び第２くじ券を挿入した状態を示す斜視図。
【図５】図１の置物のくじ券挿入部の第１挿入口を通して第１くじ券を挿入した状態を示す部分拡大断面図。
【図６】図１の置物のくじ券挿入部の第２挿入口を通して第２くじ券を挿入した状態を示す部分拡大断面図。
【符号の説明】
【００３３】
２  大仏像物
４  大仏本体
６  空間
８  第１くじ券
１０  第２くじ券
１２  くじ券挿入部
１４  第１挿入口
１６  第２挿入口
１８  底部
２２  支持突出部
【図１】
0003119181.tif 000003
【図２】
0003119181.tif 000004
【図３】
0003119181.tif 000005
【図４】
0003119181.tif 000006
【図５】
0003119181.tif 000007
【図６】
0003119181.tif 000008